(57)【特許請求の範囲】
【請求項１】
ボディ（１）に内蔵され、使用液の圧力が設定圧力値以上のとき流路を開くピストン（６１）と、
該ピストン（６１）を前記設定圧力値で付勢する弾性手段（１５）と、
該弾性手段（１５）が収納された筒体（５１）と、
該筒体（５１）に対し螺合され、螺進退操作されることで前記弾性手段（１５）による前記設定圧力値を調整し、１回転を超える回転により、前記弾性手段（１５）による前記設定圧力値を前記使用液の最高圧力値に到達させる操作手段（６９）と、
該操作手段（６９）の螺進退操作位置を前記使用液の圧力値に換算し、前記回転に合わせて表示した圧力表示手段（８１）と、
該圧力表示手段（８１）の圧力表示に対し前記使用液の現在圧力値を指示する圧力指示手段（８３）とを備え、
前記操作手段（６９）の螺進退操作により、少なくとも前記圧力表示手段（８１）の１回転以上前の圧力表示を含む所定部分を隠蔽したことを特徴とする調圧弁。
【請求項２】
前記筒体（５１）に対する前記操作手段（６９）の螺進退操作を段階的に仮止めする段階停止手段（２７、２９、３１、３３）を備え、
前記圧力表示手段（８１）は、前記段階停止手段（２７、２９、３１、３３）で仮止めされた各段階位置に対応させて換算された前記使用液の圧力値を表示したことを特徴とする請求項１記載の調圧弁。
【請求項３】
前記弾性手段（１５）と前記操作手段（６９）間に所定の厚みを有する少なくとも一つのカラー（９５）が介装自在であることを特徴とする請求項１又は請求項２記載の調圧弁。
【請求項４】
前記操作手段（６９）及び前記筒体（５１）の一方に配設され、前記操作手段（６９）の後退操作の限界を規制するストッパ（８７）と、
前記操作手段（６９）及び前記筒体（５１）の他方に配設され、前記ストッパ
（８７）に当接される当接体（２７）とを備え、
前記操作手段（６９）の進行操作に伴い、前記当接体（２７）は前記ストッパ
（８７）に当接されないことを特徴とする請求項１、２又は３記載の調圧弁。
【請求項５】
前記圧力表示手段（８１）の各圧力表示間は連続線若しくは断続線で結ばれたことを特徴とする請求項１、２、３又は４記載の調圧弁。
【発明の詳細な説明】
【０００１】
【発明の属する技術分野】
本発明は調圧弁に係わり、特に操作力が低減され、表示圧力が明確で分かり易く、圧力設定がし易い調圧弁に関する。
【０００２】
【従来の技術】
図１１に従来の調圧弁の横断面図を示す。また、図１２には図１１中のＡ−Ａ矢視断面図を示す。図１１において、ボディ１の下方には流入口３が配設され、図示しないポンプより高圧の使用液（例えば水）が流入するようになっている。また、ボディ１の左方には流出口５が配設されている。
【０００３】
ボディ１内部には、ピストン摺動室１０が形成されている。このピストン摺動室１０の左方内壁には、シリンダ７が埋設され、このシリンダ７の左端には弁座９が配設されている。この弁座９には、ピストン１１が着座可能なようになっている。ピストン１１の右方周囲には、円盤１３が固定されており、この円盤１３の周囲は、シリンダ７の内壁を摺動自在になっている。
【０００４】
コイルバネ１５は、ピストン摺動室１０に内蔵され、その一端が円盤１３を押圧している。コイルバネ１５の他端は、バネ受け１７で保持され、このバネ受け１７は、操作部１９の中心にねじ込まれたボルト２１の左端に固定されている。
【０００５】
ボディ１右端外周には、雄ねじ２３が螺刻されている。そして、操作部１９内部には、この雄ねじ２３に螺合するように雌ねじ２５が螺刻されている。
この螺合により、操作部１９はボディ１に対し螺進退操作可能なようになっている。
【０００６】
また、ボディ１上部には、当接体２７が形成され、この当接体２７の内部にはコイルバネ２９が内装されている。コイルバネ２９の上端には球体３１が載置され、球体３１の上部は、操作部１９の内側に配設された溝３３と係合するようになっている。
【０００７】
溝３３はその断面が部分円形状であり、操作部１９の長手方向に向けて複数本併設されている。
操作部１９の左方には傾斜面３５が設けられ、この傾斜面３５の周囲には溝３３の位置に対応させて圧力表示３４が記載されている。
【０００８】
圧力表示３４は、０〔ＭＰａ〕であるＳＴＡＲＴ点を超えて後退操作出来ないように、この限界を規制するためストッパ３７がネジ穴３９に止められている。かかる構成において、最高圧力を規制しない場合には、ＳＴＡＲＴ点より操作部１９を回転させることで、１回転以内で最高圧力である例えば５．０〔ＭＰａ〕に設定される。
【０００９】
最高圧力に至るまでの所望の位置に操作部１９を回転させることで、コイルバネ１５は収縮され、所定の付勢力でピストン１１は弁座９に対し押圧される。
流入口３から流入された使用液の圧力がコイルバネ１５の付勢力より大きくなった場合には、ピストン１１は弁座９に対し開かれ、流路が確保される。従って、使用液の圧力は傾斜面３５により設定した圧力表示３４に維持される。
【００１０】
操作部１９の回動に伴い、球体３１は溝３３に係合されるため、操作部１９の螺進退操作は段階的に仮止めされる。
一方、最高圧力を規制する方法を図１３に示す。図１３は、図１１中のＡ−Ａ矢視断面図を示す。図１３において、最高圧力に相当する圧力表示位置に別途ネジ穴４１が設けられ、ストッパ４３がこのネジ穴４１に止められている。
【００１１】
このことにより、操作部１９はこのストッパ４３を超えて回転することが出来ず、コイルバネ１５の圧縮も規制される。このため、使用液の最高圧力も傾斜面３５により設定した最高圧力表示に制限される。
【００１２】
【発明が解決しようとする課題】
ところで、従来の調圧弁では、操作部１９の操作を１回転以内で行うため、ネジのリードを大きくせざるを得なかった。このため、操作力も大きく必要であった。
また、仮に、操作部１９を複数回操作しようとすると各回転毎に応じた圧力が複数並列表示されるため設定圧力と表示圧力の識別が難しくなるおそれがあった。
【００１３】
更に、最高圧力を変更（下げる）設定する時は、操作部１９にストッパ４３を追加するためのネジ穴４１の加工が改めて必要となっていた。
本発明はこのような従来の課題に鑑みてなされたもので、操作力が低減され、表示圧力が明確で分かり易く、圧力設定がし易い調圧弁を提供することを目的とする。
【００１４】
【課題を解決するための手段】
このため本発明（請求項１）は、ボディ（１）に内蔵され、使用液の圧力が設定圧力値以上のとき流路を開くピストン（６１）と、該ピストン（６１）を前記設定圧力値で付勢する弾性手段（１５）と、該弾性手段（１５）が収納された筒体（５１）と、該筒体（５１）に対し螺合され、螺進退操作されることで前記弾性手段（１５）による前記設定圧力値を調整し、１回転を超える回転により、前記弾性手段（１５）による前記設定圧力値を前記使用液の最高圧力値に到達させる操作手段（６９）と、該操作手段（６９）の螺進退操作位置を前記使用液の圧力値に換算し、前記回転に合わせて表示した圧力表示手段（８１）と、該圧力表示手段（８１）の圧力表示に対し前記使用液の現在圧力値を指示する圧力指示手段（８３）とを備え、前記操作手段（６９）の螺進退操作により、少なくとも前記圧力表示手段（８１）の１回転以上前の圧力表示を含む所定部分を隠蔽したことを特徴とする。
【００１５】
弾性手段（１５）はピストン（６１）を設定圧力値で付勢している。この設定圧力は、操作手段（６９）を螺進退操作することで調整可能である。操作手段
（６９）は、１回転を超える回転により、弾性手段（１５）による設定圧力値を使用液の最高圧力値に到達させる。
【００１６】
このように、１回転を超える回転としたのは、操作手段（６９）の螺進退操作のリードを短くし、操作手段（６９）にかける操作力を低減するためである。１回転を超える回転であるから、丁度複数回転の位置で使用液の最高圧力値に到達させてもよいし、回転の途中で使用液の最高圧力値に到達させてもよい。
【００１７】
圧力表示手段（８１）では、操作手段（６９）の螺進退操作位置を使用液の圧力値に換算し、回転に合わせて表示する。従って、１回転を超える回転に合わせて圧力値が表示される。圧力指示手段（８３）では、この圧力表示手段（８１）の圧力表示に対し使用液の現在圧力値を指示する。
以上により、操作手段（６９）の設定が楽に行える。
圧力指示手段（８３）で現在指示されている圧力表示以外の圧力表示部分は、隠蔽することが現在圧力表示を明確にする上で望ましい。従って、操作手段（６９）の螺進退操作により、少なくとも圧力表示手段（８１）の１回転以上前の圧力表示を含む所定部分を隠蔽することとする。
少なくともと表現したのは、現在圧力表示より１回転以上後の圧力表示が存在する場合には、この部分をも隠蔽対象としてもよいし、現在圧力表示を残した形で周囲を覆う等してもよいためである。
【００１８】
また、本発明（請求項２）は、前記筒体（５１）に対する前記操作手段（６９）の螺進退操作を段階的に仮止めする段階停止手段（２７、２９、３１、３３）を備え、前記圧力表示手段（８１）は、前記段階停止手段（２７、２９、３１、３３）で仮止めされた各段階位置に対応させて換算された前記使用液の圧力値を表示したことを特徴とする。
【００１９】
段階停止手段（２７、２９、３１、３３）により、筒体（５１）に対する操作手段（６９）の螺進退操作を段階的に仮止めすることが可能である。圧力表示手段（８１）では、段階停止手段（２７、２９、３１、３３）で仮止めされた各段階位置に対応させて換算された使用液の圧力値を表示する。
【００２０】
操作手段（６９）は、１回転を超えて回転可能なので、段階停止手段（２７、２９、３１、３３）の仮止め位置の間隔を増すことができ、細かい圧力設定を行うことが可能となる。
【００２４】
更に、本発明（請求項３）は、前記弾性手段（１５）と前記操作手段（６９）間に所定の厚みを有する少なくとも一つのカラー（９５）が介装自在であることを特徴とする。
【００２５】
カラー（９５）を介装させることで、操作手段（６９）の進行操作が規制される。このため、操作手段（６９）は、このカラー（９５）の厚み分を超えて弾性手段（１５）を付勢することが出来ず、結果的に最高圧力値が規制される。
【００２６】
このように、最高圧力の変更がカラー（９５）の介装でできるので、従来のように操作手段（６９）にストッパ用の別穴を設ける必要がない。このため、操作手段（６９）を別部品で対応する必要がない。
カラー（９５）は、厚みを変更するだけで、あるいは段積みする枚数を増減するだけで最高圧力の変更ができる。
【００２７】
更に、本発明（請求項４）は、前記操作手段（６９）及び前記筒体（５１）の一方に配設され、前記操作手段（６９）の後退操作の限界を規制するストッパ
（８７）と、前記操作手段（６９）及び前記筒体（５１）の他方に配設され、前記ストッパ（８７）に当接される当接体（２７）とを備え、前記操作手段（６９）の進行操作に伴い、前記当接体（２７）は前記ストッパ（８７）に当接されないことを特徴とする。
【００２８】
ストッパ（８７）は、操作手段（６９）及び筒体（５１）の一方に配設され、操作手段（６９）の後退操作の限界を規制する。当接体（２７）は、操作手段（６９）及び筒体（５１）の他方に配設され、ストッパ（８７）に当接される。ストッパ（８７）と当接体（５１）の当接により後退操作の限界を規制したことで、操作手段（６９）がボディ（１）から離脱することはなくなる。また、使用液の圧力値ゼロを規制することが出来る。
【００２９】
操作手段（６９）は、１回転を超えて回転可能なので、操作手段（６９）の進行操作に伴い、当接体（２７）はストッパ（８７）に当接されないこととする。このため、例えば操作手段（６９）に形成されるネジのリードやストッパ（８７）の大きさ等の相対関係を規制する。
【００３０】
更に、本発明（請求項５）は、前記圧力表示手段（８１）の各圧力表示間は連続線若しくは断続線で結ばれたことを特徴とする。
【００３１】
各圧力表示間が連続線若しくは断続線で結ばれたことで、操作手段（６９）の回動中も圧力値が視覚的に分かる。
【００３２】
【発明の実施の形態】
以下、本発明の実施形態を図面に基づいて説明する。本発明の実施形態の正面断面図を図１に、また平面図を図２に示す。なお、図１１と同一要素のものについては同一符号を付して説明は省略する。
【００３３】
図１において、ボディ１上部には、バネ筒５１が取り付けられている。バネ筒５１にはピストン６１、円盤１３及びコイルバネ１５が内蔵されている。コイルバネ１５の上端は、バネ受け６７で保持されている。そして、このバネ受け６７は、操作部６９の中心に配設された押しボルト７１の下端により圧接されている。操作部６９内には、インサートナット７３が埋設され、ここに押しボルト７１がナット７５にて固定されている。
【００３４】
バネ筒５１の上部外周には、雄ねじ７７が螺刻されている。そして、操作部６９内部には、この雄ねじ７７に螺合するように雌ねじ７９が螺刻されている。
操作部６９の下部外周には、図３の圧力表示展開図に示すように、雄ねじ７７のリードに従い右肩上がりに進む圧力表示線８１及び圧力値０〜５．０〔ＭＰａ〕が表示されている。
【００３５】
この圧力値は、溝３３に一致させて表示されている。このため、操作部６９の回転の２周目には、２列表示されている。また、この圧力値は、操作部６９の螺進退操作位置をボディ１に流れる使用液の圧力値に換算して表示されている。
バネ筒５１の下部には、圧力指示板８３の一端が固定されている。そして、圧力指示板８３の他端は、図３に示すように現在圧力値の直下を指すようになっている。
【００３６】
圧力表示の０〔ＭＰａ〕を超えて後退操作出来ないように、この限界を規制するためストッパ８７がネジ穴８９に止められている。このストッパ８７は、当接体２７の側部に当接するようになっている。
一方、最高圧力は、インサートナット下部９１がバネ筒上部９３に当接することで規制されるようになっている。
【００３７】
次に、本発明の実施形態の作用を説明する。
図１に、０〔ＭＰａ〕でコイルバネ１５を付勢しない状態を示す。このときの圧力表示展開図を図３に示す。圧力指示板８３は０〔ＭＰａ〕を指している。
【００３８】
この際には、図４（Ａ）に示すように、ストッパ８７が当接体２７の側部に当接するため後退操作は出来ない。進行操作は、操作部６９を回転させることで行われ、この回転に従い圧力指示板８３は、雌ねじ７９のリード角に従い図５の圧力表示展開図に示す圧力表示線８１に沿って昇る。
このように、各圧力値間は圧力表示線８１で結ばれており、操作部６９の回転中も圧力値が視覚的に分かる。
【００３９】
操作部６９の回転が２周目に入ったとき、今度は図４（Ｂ）に示すようにストッパ８７が当接体２７の側部に当接しないようにストッパ８７を当接体２７の下側に通過させる必要がある。このため、ストッパ８７が当接体２７に当接する位置から当接体２７の最下部までの高さを、（操作部６９の雌ねじ７９のリード）−ストッパ８７の高さ方向の寸法（ストッパ８７の径）以下とする。
【００４０】
また、２周目に入ったときには、図５に示すように１回転前の圧力値（例えば２．０）が圧力指示板８３により隠蔽される。このため、現在圧力値（例えば５．０）を明確に判断出来る。
【００４１】
操作部６９の回転に伴い、押しボルト７１がバネ受け６７を介してコイルバネ１５を圧縮する。この際、溝３３に球体３１が係合し、丁度圧力値の表示された位置で仮止めされるため、圧力設定がし易い。
操作部６９は、１回転を超えて回転可能なので、従来に比べて溝３３同士の間隔を増すことができ、細かい圧力設定を行うことが可能となる。
【００４２】
最高圧力は、図６に示すようにインサートナット下部９１がバネ筒上部９３に当接することで規制する。しかしながら、安全弁としての機能を考慮する観点から、コイルバネ１５が完全に密着しない範囲で規制する。これは、例えば負荷端であるノズルが詰まる等の緊急時に、安全弁としての機能が果たせなくなるのを防止するためである。即ち、かかる緊急時には、コイルバネ１５を一層圧縮し、流路を確保する必要があるからである。
【００４３】
次に、最高圧力を低く設定する方法について説明する。
最高圧力を低く設定するため、図７に示すようにインサートナット下部９１の下端又はバネ筒上部９３の上端のいずれかの箇所にカラー９５Ａを固定する。カラー９５Ａの介装によっても、インサートナット下部９１とカラー９５Ａ間又はバネ筒上部９３とカラー９５Ａ間の隙間により操作部６９の回転当初は何らの制約を受けずに回転可能である。
【００４４】
しかしながら、このカラー９５Ａにより、操作部６９の最高圧力に向けた移動量は規制される。最高圧力を変更する場合、図８に示すようにカラー９５Ａに代えて、厚みの異なるカラー９５Ｂを配設してもよいし、図９と図１０に示すように、同一の厚みを有するカラー９５Ｃの個数を変えて配設してもよい。
このカラー９５は、調圧弁内部にあるので、分解しないと最高圧力の変更が困難である。このため、顧客が容易に圧力を上昇させられず安全である。
【００４５】
以上のように、最高圧力の変更がカラー９５の介装でできるので、従来のように操作部６９にストッパ用のネジ穴３９等を設ける必要がない。このため、操作部６９を別部品で対応したり、追加加工したりする必要がない。
【００４６】
【発明の効果】
以上説明したように本発明によれば、操作手段（６９）の１回転を超える回転により、弾性手段（１５）による設定圧力値を使用液の最高圧力値に到達させることとしたので、操作手段（６９）の螺進退操作のリードは短く、操作手段（６９）にかける操作力は低減する。このことにより、操作手段（６９）の設定が楽に行える。
また、弾性手段（１５）と操作手段（６９）間にカラー（９５）を介装させたことで、最高圧力値を任意に規制することが出来る。
【図面の簡単な説明】
【図１】  本発明の実施形態の正面断面図
【図２】  本発明の実施形態の平面図
【図３】  圧力表示展開図
【図４】  ストッパと当接体との相対的位置関係を示す図
【図５】  圧力表示展開図
【図６】  最高圧力時の状態のときの本発明の実施形態の正面断面図
【図７】  最高圧力を規制するためカラーを配設したときの本発明の実施形態の正面断面図
【図８】  異なる厚みのカラーを配設したときの本発明の実施形態の正面断面図
【図９】  同一の厚みを有するカラーの個数を変更したときの本発明の実施形態の正面断面図
【図１０】  同一の厚みを有するカラーの個数を変更したときの本発明の実施形態の正面断面図
【図１１】  従来の調圧弁の横断面図
【図１２】  図１１中のＡ−Ａ矢視断面図
【図１３】  最高圧力を規制する方法を示す図
【符号の説明】
１３  円盤
１５、２９  コイルバネ
２７  当接体
３１  球体
３３  溝
５１  バネ筒
６１  ピストン
６９  操作部
７１  ボルト
７３  インサートナット
８１  圧力表示線
８３  圧力指示板
８７  ストッパ
８９  ネジ穴
９１  インサートナット下部
９３  バネ筒上部
９５、９５Ａ、９５Ｂ、９５Ｃ  カラー
【図１】
0003685243.tif 000002
【図２】
0003685243.tif 000003
【図３】
0003685243.tif 000004
【図４】
0003685243.tif 000005
【図５】
0003685243.tif 000006
【図６】
0003685243.tif 000007
【図７】
0003685243.tif 000008
【図８】
0003685243.tif 000009
【図９】
0003685243.tif 000010
【図１０】
0003685243.tif 000011
【図１１】
0003685243.tif 000012
【図１２】
0003685243.tif 000013
【図１３】
0003685243.tif 000014